(57)【要約】【課題】壁面に対する木質パネルの取り付け作業や取り外し作業を容易に行うことができ、しかも壁面に木質パネルを取り付けて外装する際に、堅固でがたつきのない安定した取付構造を得ること。【解決手段】パネル側のフック金具１０と、壁面側の受け金具２０とを組み合わせたセット金具Ａを設ける。フック金具１０は、垂下する板状のフック１２を含む。受け金具２０は、フック受２２を含む。フック１２の面とこの面に対向する当該フック受２２の対向面とのいずれか一方には、他方に向かって突出し、かつフック１２をフック受２２内にストロークＳの終端部Ｓ２近傍まで挿入した位置において当該フック１２をフック受２２の内側に弾性的に押圧する突出部２７が形成されている。【選択図】図１
2018084023.tif 000002
【特許請求の範囲】
【請求項１】
木質パネルを建築物の壁面に着脱可能に固定するセット金具であって、
前記木質パネルの裏面に固定されるパネル側固定板と前記パネル側固定板に片持ち状に突出して垂下する板状のフックとを含むフック金具と、
前記壁面に固定される壁面側固定板と前記壁面側固定板に設けられて前記フックを遊嵌状態で上下に挿抜可能な開口を有するフック受とを含む受け金具と、
を備え、
前記受け金具のフック受は、前記壁面側固定板に対向する受板と、前記受板の両側部と一体的に設けられて前記壁面側固定板側に延び少なくとも上端部が前記壁面側固定板に固定される一対の側板と、を有し、
前記フックと前記フック受とのいずれか一方には、当該フックの板厚方向に沿って突出し、かつ前記フックを前記フック受内に挿入したときのストロークの終端部において当該フックを前記フック受の内側に弾性的に押圧する突出部が設けられている
ことを特徴とするセット金具。
【請求項２】
請求項１に記載のセット金具において、
前記フックは、前記板厚方向に間隔を隔てて前記開口に挿入されるものであり、前記間隔は、当該受板の板厚の２倍から５倍の範囲に設定されており、前記突出部の突出量は、前記間隔と前記受板の板厚との差の１２５％から１５０％の範囲に設定される
ことを特徴とするセット金具。
【請求項３】
請求項１又は２に記載のセット金具において、
前記フックと前記受板のいずれか一方に形成される係合凸部と、
前記フックと前記受板のいずれか他方に形成され、前記係合凸部と係合して前記ストロークの終端部を規定する係合凹部と
を備えていることを特徴とするセット金具。
【請求項４】
請求項３に記載のセット金具において、
前記係合凹部は、前記突出部よりも上端側で前記係合凸部を係止させるように前記受板に形成されており、
前記係合凸部は、前記フックの幅方向に並んで対をなす半球状に形成されている
ことを特徴とするセット金具。
【請求項５】
請求項４に記載のセット金具において、
前記係合凹部は、上下に延び、かつ前記ストロークの始端部側が前記係合凸部を遊嵌させる大きさに設定されているとともに前記ストロークの終端部側に進むに伴って狭くなることにより、当該フックをストロークの終端部で左右に位置決めするように係合凸部をガイドするテーパ形状のガイド面を備えている
ことを特徴とするセット金具。
【請求項６】
請求項３から５のいずれか１項に記載のセット金具において、
前記係合凹部は、前記受板を貫通する孔である
ことを特徴とするセット金具。
【請求項７】
請求項１から６のいずれか１項に記載のセット金具において、
前記フックを前記ストロークの終端部まで当該フック受内に装着した際、前記壁面側固定板と前記フックとが面接触し、前記受板と前記パネル側固定板とが面接触するように構成されていることを特徴とするセット金具。
【請求項８】
建築物の壁面に着脱可能に固定される木質パネルと、この木質パネルの裏面に固定されるフック金具と、を備え、前記木質パネルを前記壁面に固定する際に前記フック金具を壁面に設けられた受け金具のフック受に取り付ける金具付パネルであって、
前記フック金具は、前記木質パネルの裏面に固定されるパネル側固定板と、前記パネル側固定板に片持ち状に突出して垂下する板状のフックと、を含み、前記フックは、前記フック受に設けられた開口へ当該フックを挿入したときのストロークの終端部において当該受け金具に設けられた突出部によって当該フック受の内側に押圧される自由端部を有する
ことを特徴とする金具付パネル。
【請求項９】
請求項８に記載の金具付パネルにおいて、
前記フック金具を複数個裏面に有する枠材と、
前記枠材の表面に保持される外装材と
を備えていることを特徴とする金具付パネル。
【発明の詳細な説明】
【技術分野】
【０００１】
本発明は、セット金具及び金具付パネルに関し、特に木質パネルを建築物の外壁面等の施工に好適なセット金具及び金具付パネルに関する。
【背景技術】
【０００２】
戦後に造林された人工林を資源として有効活用し、国土保全など森林の多面的機能の低下防止を図るため、わが国では、公共建築物等における木材の利用の促進に関する法律が平成２２年１０月に施行された。
【０００３】
同法の施行に伴い、木質素材で作成した下見板（cladding board）やサイディングボード、或いはルーバー等（以下、「木質パネル」と総称する。）を用いて壁面を外装する需要が高まっている。
【０００４】
そのような木質パネルの施工にあたっては、風等による外力が加わってもがたつきが生じないよう、堅固に固定される必要がある。一方、木質パネルの耐久期間は、石材や窯業系のものに比べて比較的短いので、頻繁に木質パネルのメンテナンス作業や、交換作業を行う必要がある。
【０００５】
かかる要請に応え得る構成として、例えば、特許文献１が知られている。
【０００６】
同文献の図９（ａ）には、木製ルーバー（木質パネル）を構成する複数のルーバー部材を支持する支持体を設け、当該支持体の裏面と、建造物の躯体（壁面）に固定された壁面パネルの表面とに予め金具を固定しておき、両金具にボルトを挿通してナットで締め付ける構成が開示されている。
【０００７】
また、同文献の図９（ｂ）には、前記壁面パネルに対し、個々のルーバー部材ごとにボルトで固定する構造を開示している。
【先行技術文献】
【特許文献】
【０００８】
【特許文献１】特開２０１５−４８６２３号公報
【発明の概要】
【発明が解決しようとする課題】
【０００９】
上述の特許文献１のような構成では、木質パネルを壁面に外装し、また取り外しも可能となる。
【００１０】
しかしながら、特許文献１の構成によって、木質パネルを取り付ける取り付け作業や、取り付けられた木質パネルを取り外す取り外し作業を行うことは、必ずしも容易ではない。
【００１１】
特に、特許文献１の構成では、木質パネルとしての木製ルーバーの裏面に固定された金具と、壁面パネルの表面に固定された金具とを位置合わせしてボルトを挿通する作業が必要である。木質パネルは、比較的重い（例えば、３０Ｋｇ程度。）ので、そのような重量物を、例えば足場の上で支持し、金具同士の位置を合わせてボルトを挿通する作業は、きわめて効率が悪く、取り付け作業が困難であった。
【００１２】
また、ボルトでの取り付け作業や、ボルトを螺脱する取り外し作業を、例えば高所で行う必要があるので、作業中、ボルトを落下させやすい、という問題もある。
【００１３】
本発明は、上述した課題に鑑みてなされたものであり、壁面に対する木質パネルの取り付け作業や取り外し作業を容易に行うことができ、しかも壁面に木質パネルを取り付けて外装する際に、堅固でがたつきのない安定した取付構造を得ることのできるセット金具及び金具付パネルを提供することを課題としている。
【課題を解決するための手段】
【００１４】
上記課題を解決するために、本発明は、木質パネルを建築物の壁面に着脱可能に固定するセット金具であって、前記木質パネルの裏面に固定されるパネル側固定板と前記パネル側固定板に片持ち状に突出して垂下する板状のフックとを含むフック金具と、前記壁面に固定される壁面側固定板と前記壁面側固定板に設けられて前記フックを遊嵌状態で上下に挿抜可能な開口を有するフック受とを含む受け金具と、を備え、前記受け金具のフック受は、前記壁面側固定板に対向する受板と、前記受板の両側部と一体的に設けられて前記壁面側固定板側に延び少なくとも上端部が前記壁面側固定板に固定される一対の側板と、を有し、前記フックと前記フック受とのいずれか一方には、当該フックの板厚方向に沿って突出し、かつ前記フックを前記フック受内に挿入したときのストロークの終端部において当該フックを前記フック受の内側に弾性的に押圧する突出部が設けられていることを特徴とするセット金具である。
【００１５】
この態様では、木質パネルを壁面に対し着脱可能に固定する際に、壁面に固定される受け金具と、木質パネルに固定されるフック金具とを用いることにより、木質パネルを上下に動かす動作で取り付け作業や取り外し作業を行うことができ、例えば高所で行う場合においても、作業性が格段に向上する。
【００１６】
特に、本態様のフックは、片持ち状に垂下しているので、木質パネルを下ろす動作で壁面のフック受に導入される。よって、木質パネルの重量をいわば利用して取り付け作業を行うことができるので、ボルトの挿通作業に比べ、格段に効率が向上し、取り付け作業が容易になる。
【００１７】
また、壁面に取り付けられた木質パネルの取替作業においても、セット金具は、いずれも壁面上の所定位置又は木質パネルの裏面に固定されたままの状態で作業を行うことができる。そのため、ボルトなどの着脱作業が不要になり、作業中に木質パネルから分離した部材が落下する恐れもない。
【００１８】
加えて本態様では、フックがフック受の開口に遊嵌状態で挿抜されているので、作業者は、フックの探りを入れやすくなり、スムーズにフックをフック受内に挿入することができる。さらに、本態様では、受板の両側部には、一対の側板が一体的（一体形成の他、溶接等により接続された態様を含む）に形成され、これら一対の側板の少なくとも上端部が当該壁面側固定板に固定されているので、フック受の開口は、堅固な機械構造を提供する。よって、フック受に探りを入れながらフックを挿入するときにこじれ等が生じても、十分な耐久性を発揮することができ、しかも、フック受がフックの挿抜動作に追従しなくなるので、取り外し動作も一層容易になる。
【００１９】
一方、フックを当該ストロークの終端部まで挿入すると、突出部は、当該フックをフック受の内側に弾性的に押圧する。そのため、フックが間隔を隔ててフック受に挿抜されるように形状や寸法が設定されているにも拘わらず、木質パネルの厚み方向のがたつきが、上下方向のがたつきとともに規制される。
【００２０】
好ましい態様のセット金具において、前記フックは、前記板厚方向に間隔を隔てて前記開口に挿入されるものであり、前記間隔は、当該受板の板厚の２倍から５倍の範囲に設定されており、前記突出部の突出量は、前記間隔と前記受板の板厚との差の１２５％から１５０％の範囲に設定される。この態様では、フックの挿抜作業に支障がなく、しかも、フックを確実に押圧してパネル板厚方向のがたつきを規制することができる。
【００２１】
好ましい態様のセット金具において、前記フックと前記受板のいずれか一方に形成される係合凸部と、前記フックと前記受板のいずれか他方に形成され、前記係合凸部と係合して前記ストロークの終端部を規定する係合凹部とを備えている。この態様では、係合凸部と係合凹部とが係合することにより、簡易な抜き出し規制を図ることができ、さらには、固定された木質パネルの高さを揃えることができる。よって、作業者は、フックを受け金具のフック受に上から下へ挿入するだけで、容易に木質パネルを壁面に固定することができる。しかも、複数の木質パネルで一つの外装デザインが構成されている仕様のものを施工する際も、隣接する木質パネル同士の高さを精緻に揃えることができる。一方、木質パネルを取り外すときは、木質パネルを把持し、上側に持ち上げるだけでよい。この結果、係合凸部と係合凹部との係合が外れ、フックは、フック受の上方に抜け出る。
【００２２】
好ましい態様のセット金具において、前記係合凹部は、前記突出部よりも上端側で前記係合凸部を係止させるように前記受板に形成されており、前記係合凸部は、前記フックの幅方向に並んで対をなす半球状に形成されている。この態様では、半球状に形成されて対をなす係合凸部を係合凹部に係止させるので、各係合凸部と係合凹部との接触面積を低減することができる。よって、係合凸部と係合凹部とが係合している際に、過度にロックされなくなり、フックの取り外し作業に余計な負担となることがない。しかも、突出部と、この突出部よりも上端側で係合凹部に係止する二つの係合凸部とによって、３点で受板がフックを保持することができるので、安定した支持構造を得ることができる。
【００２３】
好ましい態様のセット金具において、前記係合凹部は、上下に延び、かつ前記ストロークの始端部側が前記係合凸部を遊嵌させる大きさに設定されているとともに前記ストロークの終端部側に進むに伴って狭くなることにより、当該フックをストロークの終端部で左右に位置決めするように係合凸部をガイドするテーパ形状のガイド面を備えている。この態様では、係合凸部がフックのストロークの終端部に到達するまでは、係合凸部は係合凹部と遊嵌し、小さな抵抗で移動することができるので、挿抜作業が容易になる。そのため、フック受の開口幅や係合凹部の上流側の開口幅を大きく設定し、より抵抗が少なく作業性の高い挿抜構造を得ることができる。しかも、フック受の開口幅をフックの幅よりも大きく設定したり、係合凹部の上流側の開口幅を大きく設定したりしても、ストロークの終端部で係合凸部を左右に位置決めし、木質パネル間の高さを揃えることができる。
【００２４】
好ましい態様のセット金具において、前記係合凹部は、前記受板を貫通する孔である。この態様では、プレス加工時に受板の対応箇所を穿孔することにより、簡易に係合凹部を形成することができる。
【００２５】
好ましい態様のセット金具において、前記フックを前記ストロークの終端部まで当該フック受内に装着した際、前記壁面側固定板と前記フックとが面接触し、前記受板と前記パネル側固定板とが面接触するように構成されている。この態様では、突出部によってパネルの板厚方向のがたつきが規制されることと相俟って、フック金具と受け金具とが面接触状態で連結されることになる。よって、例えば、一枚の木質パネルを複数個のセット金具で固定することにより、これら複数のフック金具によって壁面沿いの同一平面上で木質パネルを位置決めする効果を奏し、パネル同士の不陸をも抑制することができる。
【００２６】
本発明の別の態様は、建築物の壁面に着脱可能に固定される木質パネルと、この木質パネルの裏面に固定されるフック金具と、を備え、前記木質パネルを前記壁面に固定する際に前記フック金具を壁面に設けられた受け金具のフック受に取り付ける金具付パネルであって、前記フック金具は、前記木質パネルの裏面に固定されるパネル側固定板と、前記パネル側固定板に片持ち状に突出して垂下する板状のフックと、を含み、前記フックは、前記フック受に設けられた開口へ当該フックを挿入したときのストロークの終端部において当該受け金具に設けられた突出部によって当該フック受の内側に押圧される自由端部を有することを特徴とする金具付パネルである。この態様では、受け具が予め壁面に固定されている建築構造物の外壁面に、製品化された木質パネルを直ちに装着することができるので、現場での取り付け作業等が不要になり、施工作業が一層容易になる。
【００２７】
好ましい態様の金具付パネルにおいて、前記フック金具を複数個裏面に有する枠材と、前記枠材の表面に保持される外装材とを備えている。この態様では、外装材を枠材と一体化し、当該枠材に取り付けられたフック金具を介して壁面に固定されることにより、壁面に所望の外装デザインを施した木質パネルを着脱可能に固定することができる。
【発明の効果】
【００２８】
以上説明したように、本発明によれば、木質パネルを壁面に対し着脱可能に固定する際に、壁面に固定される受け金具と、木質パネルに固定されるフック金具とを用いることにより、木質パネルを上下に動かす動作で取り付け作業や取り外し作業を行うことができるので、木質パネルを取り付ける取り付け作業や、取り付けられた木質パネルを取り外す取り外し作業を高所で行う場合においても、作業性が格段に向上する。加えて、堅固でがたつきのない安定した取付構造を得ることができ、しかも壁面に対する木質パネルの取り付け作業や取り外し作業を容易に行うことができる。
【００２９】
本発明のさらなる特徴、目的、構成、並びに作用効果は、添付図面と併せて読むべき以下の詳細な説明から容易に理解できるであろう。
【図面の簡単な説明】
【００３０】
【図１】本発明の実施の一形態に係るセット金具の一例を示す斜視図である。
【図２】図１のセット金具を構成するフック金具を示し、（Ａ）は、正面図、（Ｂ）は側面図である。
【図３】図１のセット金具を構成する受け金具を示し、（Ａ）は、正面図、（Ｂ）は側面図、（Ｃ）は、平面図である。
【図４】図１のセット金具を用いた金具付パネルと壁面の状態を示す斜視図である。
【図５】図４の金具付パネルを示し、（Ａ）は、正面略図、（Ｂ）は固定時の側面略図である。
【図６】図４の金具付パネルの施工過程を示す正面略図である。
【図７】図１のセット金具が組み付けられる過程を示し、（Ａ）は、挿入開始時点を示す側面図、（Ｂ）は挿入途中を示す一部断面側面図、（Ｃ）は、挿入完了時を示す一部断面側面図である。
【発明を実施するための形態】
【００３１】
以下、添付図面を参照して、本発明を実施するための最良の形態について説明する。
【００３２】
まず、図１を参照して、本発明に係るセット金具Ａは、木質パネル３０（図４〜図６参照）に固定されるフック金具１０と、壁面に固定される受け金具２０とを二つ一組にしたものである。これらの金具１０、２０は、いずれもステンレス製のプレスの一体成型品であり、フック金具１０を受け金具２０に固定することにより、木質パネル３０（図４〜図６参照）を壁面に着脱可能に固定するものである。
【００３３】
以下、各金具１０、２０について説明する。
【００３４】
図２を参照して、フック金具１０は、パネル側固定板１１と、このパネル側固定板１１に一体形成されたフック１２とを有するステンレス製の板金部材である。
【００３５】
フック金具１０のパネル側固定板１１は、正面でみて左右がやや長い長方形の平らな金属板である。一例として、パネル側固定板１１の全幅Ｗ１は、５０ｍｍ、全高Ｈ１は、４０ｍｍ程度に設定されている。パネル側固定板１１の四隅には、ボルト（又はコーチスクリューやコーススレッド等のねじ部材）で具体化される締結部材（図示せず）を挿通する挿通孔１４が形成されている。このパネル側固定板１１の上縁部中央部分には、上方から裏面側に折り返されて片持ち状に垂下するフック１２が形成されている。
【００３６】
次に、フック金具１０のフック１２は、パネル側固定板１１の背面に対し、所定の間隔Ｇ１を隔てて平行に対向している。間隔Ｇ１の寸法は、後述する受板２４の板厚ｔ２と関連しており、例えば、板厚ｔ２の２倍から５倍程度（図２の例では約３倍程度）に設定されている。フック１２の正面は、下端側に向かうにつれて細くなるようにその自由端部１２ａの両側面が傾斜している。また、フック１２の高さＨ１１は、パネル側固定板１１の全高Ｈ１の約２／３程度に設定されており、前記自由端部１２ａがパネル側固定板１１の裏面に対向している。フック１２の幅Ｗ１１は、パネル側固定板１１の全幅Ｗ１よりも狭く設定されている。
【００３７】
次に、受け金具２０は、壁面に固定される壁面側固定板２１と、この壁面側固定板２１の前面に形成され、壁面側固定板２１とともに、フック金具１０のフック１２を上下に挿抜可能な開口２２ａを形成するフック受２２とを有している。
【００３８】
受け金具２０の壁面側固定板２１は、平面で見て、左右に長く延びる長方形であり、その四隅には、埋め込みボルト等の締結部材（図示せず）を挿通する挿通孔２３が形成されている。この壁面側固定板２１の全幅Ｗ２は、十分な強度を確保するための寸法に設定されている。また、壁面側固定板２１の全高Ｈ２は、フック金具１０とほぼ同一又は僅かに高く設定されている。
【００３９】
受け金具２０のフック受２２は、壁面側固定板２１の下縁部中央部分に形成されている。具体的には、フック受２２は、前記下縁部中央部分から上方に折り返されて壁面側固定板２１の前面に対し、所定の間隔Ｇ２（例えば、フック１２の板厚ｔ１の２倍から５倍。図２の例では約３倍程度。）対向する受板２４と、受板２４の両側部に一体形成されて対をなし、壁面側固定板２１の方に折り曲げられる一対の側板２５、２５とを有している。
【００４０】
フック受２２の受板２４は、正面でみて略正方形の板状部位である。図示の例では、受板２４の両側下部に一対の段差２２ｂ、２２ｂが形成されている。受板２４の高さＨ２１は、フック１２の高さＨ３よりも僅かに短く、フック１２をほぼ全長にわたって収容可能な空間を壁面側固定板２１との間に形成している。この受板２４の幅Ｗ２１は、フック金具１０のフック１２が開口２２ａに対し、間隔を隔てて挿抜されるように（換言すれば、開口幅Ｗ２２がフック１２の幅Ｗ１１よりも広くなるように）、フック１２の幅Ｗ１１よりも幾分広く（例えば、１．２倍程度。）設定されている（図３（Ｃ）参照）。
【００４１】
フック１２及びフック受２２が、上述のような形状や寸法に形成されることにより、フック１２は、受け金具２０の開口２２ａに対し、受板２４の板厚方向の間隔（間隔Ｇ２−板厚ｔ１）を隔てて（或いは遊びをもって）挿抜可能に構成される（図３（Ｃ）参照）。また、フック１２は、フック受２２の上端を始端部Ｓ１とし、フック受けの下端近傍を終端部Ｓ２とするストロークＳ（又は挿入量）の間でフック２２に挿抜されることになる（図７（Ａ）〜（Ｃ）参照）。
【００４２】
次に、フックをフック受２２に挿入する際のストロークＳを規定するため、フック１２の上下方向中央部分には、左右に並ぶ一対の係合凸部１６、１６が形成されているとともに、フック受２２には、これら係合凸部１６、１６に対応する係合凹部２６、２６が形成されている。
【００４３】
フック１２の係合凸部１６、１６は、いずれも概ね半球形で、パネル側固定板１１に向かい突出している。また、間隔Ｇ１内における係合凸部１６、１６の突出量Ｐ１は、各係合凸部１６、１６が、受け金具２０の後述する係合凹部２６、２６に係止できる程度（例えば、間隔Ｇ１と受板２４の板厚ｔ２との間の差（間隔Ｇ１−板厚ｔ２）の１２５％から１５０％に設定されている。
【００４４】
一方、受板２４の前面には、フック１２に形成された係合凸部１６、１６に対応する一対の係合凹部２６、２６が形成されている。図示の例において、係合凹部２６、２６は、プレス加工時に形成され、受板２４を貫通する一対の孔である。各係合凹部２６、２６は、受板２４の上部近傍から水平に開き、下側に向かうにつれて狭くなる対称形のテーパ形状に形成されており、それぞれの両側部にテーパ状のガイド面２６ａ、２６ａを形成している。さらに係合凹部２６、２６の各下端は、対応する係合凸部１６、１６の下端湾曲面に沿って湾曲した形状に形成されている。各係合凹部２６の上端側の幅Ｗ２３は、係合凸部１６、１６を遊嵌させることができるように、フック１２の係合凸部１６、１６の直径よりも幾分大きく設定されている一方、各係合凹部２６の下端の幅Ｗ２４は、係合凸部１６、１６を所定の位置で係止させることができるように、係合凸部１６直径と略同じに設定されている。
【００４５】
フック１２の係合凸部１６、１６と、フック受２２の係合凹部２６、２６とが上述のように形成されることにより、フック１２をフック受２２内に挿入した際、係合凸部１６、１６の下端が係合凹部２６、２６の下端に係止するまでフック１２は、フック受２２内に挿入され、係合凹部２６、２６の下端は、フック１２をフック受２２内に挿入するときのストロークＳの終端部Ｓ２を規定する（図７（Ｃ）参照）。また、上記構成を採用することにより、フック１２の係合凸部１６、１６は、係合凹部２６、２６の下端に係止するまでは、係合凹部２６、２６に遊嵌した状態で移動できるようになっている。そのため、フック１２は、ストロークＳの終端部Ｓ２に達するまでは、比較的小さな力で動かされる。なお、係合凹部２６、２６の上端から受板２４の上端までの間隔は、挿入動作を容易にするため、可及的に短く設定される。
【００４６】
次に、受板２４の下端近傍には、概ね半球形の突出部２７が形成されている。突出部２７は、受板２４から、壁面側固定板２１に向かって突出している。突出部２７の突出量Ｐ２は、壁面側固定板２１と当該突出部２７との間にフック１２を弾性的に挟み込み、かつ比較的堅固にフック１２を押圧することができる程度（例えば、間隔Ｇ２とフック１２の板厚ｔ１との間の差（隙間Ｇ２−板厚ｔ１）の１２５％から１５０％（図２の例では約１３０％程度）に設定されている。突出部２７が形成される位置は、フック１２がストロークＳの終端部Ｓ２に到達する直前の位置でフック１２と突出部２７が係合し、フック１２がストロークＳの終端部Ｓ２まで挿入されて、係合凸部１６、１６が係合凹部２６、２６に係止した位置で突出部２７が壁面側固定板２１との間でフック１２を弾性的に挟み込む位置に設定される。そのため、フック１２が開口２２ａに対し、間隔を隔てて挿抜されるように形状や寸法が設定されているにも拘わらず、木質パネル３０の厚み方向のがたつきや、上下方向のがたつきをとともに規制することが可能になる。
【００４７】
次に、フック受２２の一対の側板２５、２５は、受板２４の上縁から突出部２７が形成されている高さまで上下に延びている。図示の例では、各側板２５、２５の上端部２５ａがろう付けにより、壁面側固定板２１に固定されており、フック受２２は、これら側板２５、２５を介して堅固に一体化されている。上記ろう付けは、受板２４の両側部の少なくとも上端部２５ａであれば十分であるが、一対の側板２５、２５の上下方向全長にわたって施されていてもよい。また、スポット溶接であってもよい。
【００４８】
次に、図４〜図６を参照して、上述したセット金具Ａを用いて、建築物の外壁面４０に着脱可能に固定される木質パネル３０を建造物の外壁面に固定する例を説明する。
【００４９】
まず、図４及び図５を参照して、木質パネル３０は、枠材３１と、枠材３１の表面に固定される外装材３２とを備えている。枠材３１は、例えば熱処理等により、耐蝕性を強化された強化木材の角材である。図示の枠材３１は、四角形のフレーム形状に組まれた枠体を構成している。枠材３１が構成する枠体の大きさは、様々であるが、例えば、１ｍ角の正方形のものや、幅がそれよりも短く設定された長方形のものであってもよい。
【００５０】
外装材３２は、枠材３１によって固定される複数の単位部材で構成される木質材である。外装材３２は、その配列等により、よろい張り、無双張り、積層張り、木口張り、縦ルーバー、横ルーバー等、種々の仕様に仕上げられる。縦ルーバーの場合、枠材３１は、上下に配設された一対の角材であってもよい。図４及び図５に例示したように、本実施形態に係る木質パネル３０では、全体として任意のデザインを表す複数の外装材３２が、枠材３１によって一体化され、当該枠材３１に取り付けられたフック金具１０を介して外壁面４０に固定されることにより、外壁面４０に所望の外装デザインを施した木質パネル３０を着脱可能に固定することができる。
【００５１】
さらに、図示の態様では、予め工場で木質パネル３０の裏面の四隅部分に、上述したセット金具Ａのフック金具１０が図略の締結部材でそれぞれ締結されることにより、金具付パネル５０が構成され、規格製品として出荷される。
【００５２】
このため図４及び図５に示す態様では、受け具が予め外壁面４０に固定されている建築構造物の外壁面４０に、製品化された木質パネル３０を直ちに装着することができるので、現場での取り付け作業等が不要になり、施工作業が一層容易になる。
【００５３】
図６を参照して、具体的には、施工時においては、第１の工程として、建築構造物の外壁面４０に、木質パネル３０の寸法に適合するように、取付位置を決定し、墨出しを行う。次いで、第２の工程として、受け金具２０を墨出しされた位置に固定する。さらに、第３の工程として、金具付パネル５０を外壁面４０の一方から他方へ、下側から順に取り付ける。この装着工程においては、作業者は、探りを入れながら、金具付パネル５０のフック金具１０を対応する受け金具２０に位置合わせし、それぞれのフック１２を対応するフック受２２に導入するだけでよい。ここで、フック受２２の側部を構成する一対の側板２５、２５の少なくとも上端部２５ａがろう付けで壁面側固定板２１に固定されているので、フック１２が位置決めされる過程でフック受２２内で受板２４と当接しても、フック受２２が変形することはない。
【００５４】
フック１２が導入されると、金具付パネル５０は、自重で下方に移動し、僅かな押し込み調整のみで、各係合凸部１６が係合凹部２６の下端に係止する位置まで降下し、固定される。
【００５５】
この装着作業におけるセット金具の作用について、図７を参照しながらフック金具１０のフック１２が、受け金具２０のフック受２２に挿入する過程を説明する。
【００５６】
まず、ストロークＳの始端部Ｓ１から、係合凸部１６、１６が受板２４の上縁に当接する位置までの区間Ｓ１０（図７（Ａ）参照）では、フック１２の下端部がフック受２２の内部に遊嵌し、フック１２とフック受２２との位置を合わせてフック１２の挿入を開始することができる。
【００５７】
次に、係合凸部１６、１６が受板２４の上縁に当接する位置から受板２４の係合凹部２６内に入り込むまでの区間Ｓ１１（図７（Ｂ）参照）において、係合凸部１６、１６がさらにフック１２に挿入されると、係合凸部１６、１６は、壁面側固定板２１と受板２４との間で弾性的に押し込まれるとともに、パネル側固定板１１とフック１２との間で受板２４が係合凸部１６、１６を介して挟み込まれるので、若干抵抗が大きくなるが、区間Ｓ１１は、係合凹部２６、２６の上端から受板２４の上端までの間隔が可及的に短く設定されているため、比較的短くなっている。そのため、作業者は、木質パネル３０の自重と相俟って、比較的短い区間Ｓ１１を経て比較的小さな力で木質パネル３０を下ろし、係合凸部１６を係合凹部２６、２６内に入り込ませることができる。
【００５８】
係合凸部１６、１６が係合凹部２６、２６の上端側に入り込んでからストロークＳの終端部Ｓ２（係合凸部１６、１６が係合凹部２６、２６の下端に係止する位置）までの区間Ｓ１２（図７（Ｃ）参照）において、係合凸部１６、１６がさらにフック１２に挿入されると、フック１２の自由端部１２ａは、当該ストロークＳの終端部Ｓ２近傍において突出部２７と当接を開始し、その後は、壁面側固定板２１と突出部２７との間に挟み込まれる。そして、係合凸部１６、１６は、係合凹部２６、２６の下端に係止し、この状態で両金具１０、２０が堅固に連結される（図６（Ｃ）参照）。この連結状態では、フック１２の下端が壁面側固定板２１と突出部２７との間に挟み込まれるとともに、パネル側固定板１１とフック１２との間で受板２４が挟み込まれるので、木質パネル３０の板厚方向のがたつきが全くなくなるとともに、その挟圧力によって、上下方向の抜け止め機能をも奏することになる。
【００５９】
一方、メンテナンス等の理由により、一旦取り付けた金具付パネル５０を外壁面４０から取り外すときは、上側の金具付パネル５０から順に上向きに持ち上げるだけでよい。
【００６０】
これにより、フック１２は、上述した順序とは逆に区間Ｓ１２、Ｓ１１、Ｓ１０の順に持ち上げられ、遂には、フック受２２から離脱する。
【００６１】
なお、金具付パネル５０を上下多段に固定する場合、上側の金具付パネル５０の上がり代が確保されていれば、上側の金具付パネル５０と下側の金具付パネル５０との間は、上がり代を設ける必要はない。上側の金具付パネル５０を取り外すことにより、下側の金具付パネル５０の上がり代を確保できるからである。
【００６２】
以上説明したように、本実施形態によれば、木質パネル３０を外壁面４０に対し着脱可能に固定する際に、外壁面４０に固定される受け金具２０と、木質パネル３０に固定されるフック金具１０とを用いることにより、木質パネル３０を上下に動かす動作で取り付け作業や取り外し作業を行うことができる。
【００６３】
したがって、木質パネル３０を取り付ける取り付け作業や、取り付けられた木質パネル３０を取り外す取り外し作業が格段に効率的になる。
【００６４】
特に、本実施形態のフック１２は、片持ち状に垂下しているので、下向きに木質パネル３０を下ろす動作で外壁面４０のフック受２２に導入される。そのため、木質パネル３０の重量をいわば利用して取り付け作業を行うことができるので、従来技術のようなボルトの挿通作業に比べ、格段に効率が向上し、取り付け作業が容易になる。
【００６５】
また、外壁面４０に取り付けられた木質パネル３０の取替作業のいずれにおいても、セット金具Ａは、いずれも外壁面４０上の所定位置又は木質パネル３０の裏面に固定されたままの状態で作業を行うことができる。そのため、高所でボルト等の締結部材を着脱する必要がなくなり、作業中に木質パネル３０から分離したボルト等の締結部材が落下する恐れもない。
【００６６】
加えて本実施形態では、フック１２がフック受２２の開口２２ａに遊嵌状態で挿抜されるので、作業者は、フック１２の探りを入れやすくなり、スムーズにフック１２をフック受２２内に挿入することができる。さらに、本実施形態では、受板２４の両側部には、一対の側板２５が一体的に形成され、これら一対の側板２５の少なくとも上端部２５ａが、例えばろう付けやスポット溶接等によって、当該壁面側固定板２１に固定されているので、フック受２２の開口２２ａは、堅固な機械構造を提供する。よって、フック受２２に探りを入れながらフック１２を挿入するときにこじれ等が生じても、十分な耐久性を発揮することができ、しかも、フック受２２がフック１２の挿抜動作に追従しなくなるので、取り外し動作も一層容易になる。
【００６７】
一方、図７（Ｃ）の区間Ｓ１２において、フック１２を当該ストロークＳの終端部Ｓ２まで挿入した位置においては、突出部２７は、当該フック１２をフック受２２の内側に弾性的に押圧する。そのため、フック１２が間隔を隔てて挿抜されるように形状や寸法が設定されているにも拘わらず、木質パネル３０の厚み方向のがたつきが、上下方向のがたつきとともに規制される。
【００６８】
また、本実施形態では、フック１２は、板厚方向に間隔（又はＧ２−ｔ１で表される差）を隔てて開口２２ａに挿入されるものであり、突出部２７の突出量Ｐ２は、前記間隔（Ｇ２−ｔ１）の１２５％から１５０％の範囲に設定される（図３（Ｂ）参照）。そのため本実施形態では、フック１２の挿抜作業に支障がなく、しかも、フック１２を確実に押圧してパネル板厚方向のがたつきを規制することができる。
【００６９】
また、本実施形態では、フック１２と受板２４のいずれか一方に形成される係合凸部１６と、フック１２と受板２４のいずれか他方に形成され、係合凸部１６と係合してストロークＳの終端部Ｓ２を規定する係合凹部２６とを備えている。このため本実施形態では、係合凸部１６と係合凹部２６とが係合することにより、固定された木質パネル３０の高さを揃えることができる。よって、作業者は、フック１２を受け金具２０のフック受２２に上から下へ挿入するだけで、容易に木質パネル３０を外壁面４０に固定することができる。しかも、複数の木質パネル３０で一つの外装デザインが構成されている仕様のものを施工する際も、隣接する木質パネル３０同士の高さを精緻に揃えることができる。
【００７０】
一方、木質パネル３０を取り外すときは、木質パネル３０を把持し、上側に持ち上げるだけでよい。この結果、係合凸部１６と係合凹部２６との係合が外れ、フック１２は、フック受２２の上方に抜け出る。
【００７１】
また、本実施形態では、係合凹部２６、２６は、突出部２７よりも上端側で係合凸部１６、１６を係止させるように受板２４に形成されており、係合凸部１６、１６は、フック１２の幅方向に並んで対をなす半球状に形成されている。このため本実施形態では、半球状に形成されて対をなす係合凸部１６、１６を係合凹部２６、２６に係止させるので、各係合凸部１６、１６と係合凹部２６、２６との接触面積を低減することができる。しかも、突出部２７と、この突出部２７よりも上端側で係合凹部２６、２６に係止する二つの係合凸部１６、１６とによって、３点で受板２４がフック１２を保持することができるので、安定した支持構造を得ることができ、フック１２の支持構造が一層堅固になる。なお、係合凸部１６、１６を対にする場合においても、係合凹部２６、２６を対にすることは、必ずしも必要ではない。可能であれば、両係合凸部１６、１６を係止させることができる幅方向に延びた一つの孔であってもよい。
【００７２】
また、本実施形態では、係合凹部２６は、上下に延び、かつストロークＳの始端部Ｓ１側が係合凸部１６を遊嵌させる大きさ（幅Ｗ２３）に設定されているとともにストロークＳの終端部Ｓ２側に進むに伴って狭くなることにより、当該フック１２を前記ストロークＳの終端部で左右に位置決めするように係合凸部１６をガイドするテーパ形状のガイド面２６ａを備えている。このため本実施形態では、係合凸部１６がフック１２のストロークＳの終端部Ｓ２に到達するまでは、係合凹部２６と遊嵌し、小さな抵抗で移動することができる。そのため、挿抜作業が容易になる。そのため、フック受２２の開口幅Ｗ２２や係合凹部２６の上流側の開口幅Ｗ２３を大きく設定し、より抵抗が少なく作業性の高い挿抜構造を得ることができる。しかも、フック受２２の開口幅Ｗ２２をフック１２の幅Ｗ１１よりも大きく設定したり（図３（Ｃ）参照）、係合凹部２６の上流側の開口幅Ｗ２３（図３（Ｂ）参照）を大きく設定したりしても、ストロークＳの終端部Ｓ２で係合凸部１６を係止させ、木質パネル３０間の上下高さの不揃いを解消することができる。
【００７３】
また、本実施形態では、係合凹部２６、２６は、受板２４を貫通する孔である。このため本実施形態では、プレス加工時に受板２４の対応箇所を穿孔することにより、簡易に係合凹部２６、２６を形成することができる。
【００７４】
また、本実施形態の別の態様は、建築物の外壁面４０に着脱可能に固定される木質パネル３０と、この木質パネル３０の裏面に固定されるフック金具１０と、を備え、木質パネル３０を外壁面４０に固定する際にフック金具１０を外壁面４０に設けられた受け金具２０のフック受２２に取り付ける金具付パネル５０である。同金具付パネル５０は、フック金具１０は、木質パネル３０の裏面に固定されるパネル側固定板１１と、このパネル側固定板１１に片持ち状に突出して垂下する板状のフック１２と、を含み、フック１２は、フック受２２に設けられた開口２２ａへ挿入されたときのストロークＳの終端部Ｓ２近傍において、当該受け金具２０に設けられた突出部２７によって当該フック受２２の内側（図示の例では、壁面側固定板２１）に押圧される自由端部１２ａを有する。
【００７５】
かかる態様においては、受け具が予め外壁面４０に固定されている建築構造物の外壁面に、製品化された木質パネル３０を直ちに装着することができるので、現場での取り付け作業等が不要になり、施工作業が一層容易になる。
【００７６】
また、本実施形態では、フック金具を複数個裏面に有する枠材と、枠材の表面に保持される外装材とを備えている。このため本実施形態では、図４〜図６に例示したように、複数の単位素材からなる外装材を枠材と一体化し、当該枠材に取り付けられたフック金具を介して壁面に固定されることにより、所望の外装デザインを施した木質パネルを壁面に着脱可能に固定することができる。
【００７７】
さらに、本実施形態に係るセット金具Ａを用いた木質パネルの固定構造では、フック１２をストロークＳの終端部Ｓ２までフック受２２内に装着した際、壁面側固定板２１の正面とフック１２の裏面とが面接触し、受板２４の正面とパネル側固定板１１の裏面とが面接触する構造になっている。そのため本実施形態では、突出部２７によって木質パネル３０の板厚方向のがたつきが規制されることと相俟って、フック金具１０と受け金具２０とが面接触状態で連結されることになる。よって、例えば、一枚の木質パネル３０を複数個のセット金具Ａで固定することにより、これら複数のフック金具Ａによって壁面沿いの同一平面上で木質パネルを位置決めする効果を奏し、パネル同士の不陸をも抑制することができる。
【００７８】
本発明は、上述した実施の形態に限定されるものではなく、本発明の要旨を逸脱しない範囲内において種々変更を加え得ることはいうまでもない。
【００７９】
図４〜図６に示した通り、セット金具Ａの具体的な態様としては、木質パネル３０の裏面に予めフック金具１０が固定された金具付パネル５０を出荷時に生産しておき、現場では、外壁面４０に受け金具２０を固定して、施工することが好ましい。しかしながら、現場での施工条件は、種々多様であるので、墨出し工程（第１の工程）の後、墨出しされた取付位置に適合するように、各木質パネル３０の裏面にフック金具１０を現場で固定してもよい。
【００８０】
また、木質パネル３０に固定されるフック金具１０の個数は、木質パネル３０の重量やサイズ、用途に応じて一つでもよく、複数でもよい。
【００８１】
木質パネル３０は、外装用に好適であるが、公共施設のロビー等、内装用の外壁面４０に用いるものであってもよい。
【００８２】
図示の例では、係合凸部１６をフック１２に設け、係合凹部２６をフック受２２の受板２４に形成したが、逆にしてもよい。その場合には、テーパの向きを図３に示した形状のガイド面２６ａと上下逆向きに傾斜し、上端部が狭くなるガイド面をフック１２側に形成することが好ましい。かかる形状においても、ストロークＳの終端部Ｓ２のところで、係合凹部２６の上端部が係合凸部１６に係止することにより、上下方向の位置決めを図ることができる。
【００８３】
さらに、図示の例では、突出部２７を受板２４に形成しているが、突出部をフック側に形成してもよい。その場合には、フック１２に設けた突出部が、受板２４の上端近傍で圧縮されるように形成することが好ましい。そのように構成することにより、フックのストローク終端近傍でフックに形成された突出部が受板２４の内壁に押圧されて、フックを壁面側固定板２１との間で挟み込み、板厚方向のがたつきを規制することができる。
【００８４】
また、係合凹部２６を壁面側固定板２１に形成し、フック１２の係合凸部１６を壁面側固定板２１に突出する方向に形成してもよい。
【００８５】
また、突出部２７を壁面側固定板２１に形成してもよい。
【００８６】
また、フック金具１０の仕様として、フック１２の上下方向の長さ（高さ）が異なる仕様のものを複数（例えば２種類）用意しておき、金具付パネル５０の上下方向において、上側にはフック１２が短い仕様のフック金具１０を、下側には、フック１２が長い仕様のフック金具１０を用いてもよい。その場合には、強度の向上と、挿抜作業の作業性向上とを両立させることができる。
【００８７】
さらにまた、フック１２の上下方向の長さが異なる仕様のフック金具１０を採用する場合には、各仕様のフック１２の長さに応じて、上下方向に複数の突出部２７を受板２４に有する受け金具２０を採用してもよい。その場合には、同一の受け金具２０で複数のフック金具１０に対応可能な汎用性を持たせることができる。
【符号の説明】
【００８８】
１０   フック金具
１１   パネル側固定板
１２   フック
１２ａ 自由端部
１４   挿通孔
１６   係合凸部
２０   受け金具
２１   壁面側固定板
２２   フック受
２２ａ 開口
２４   受板
２５   側板
２５ａ 上端部
２６   係合凹部
２６ａ ガイド面
２７   突出部
３０   木質パネル
３１   枠材
３２   外装材
４０   外壁面（壁面の一例）
５０   金具付パネル
Ａ     セット金具
Ｐ２   突出量
【図１】
2018084023.tif 000003
【図２】
2018084023.tif 000004
【図３】
2018084023.tif 000005
【図４】
2018084023.tif 000006
【図５】
2018084023.tif 000007
【図６】
2018084023.tif 000008
【図７】
2018084023.tif 000009